(57)【要約】【課題】  段積みされた墓石ブロックの境界にダンパー機能を有する緩衝体を挿着し、地震等の振動によって墓石ブロックが倒壊するのを防止できる制振墓石を提供する。【解決手段】  上下方向に複数の墓石ブロックを積層し、これらの墓石ブロックの境界に可撓性材料からなる緩衝体を挿着してなる墓石であって、前記墓石ブロックの境界における上下面の夫々に挿入孔を対向して穿設するとともに、前記上下面夫々の挿入孔に軟質接着材を充填して接着剤層を形成し、かつ、上下の前記接着剤層に跨って前記緩衝体を挿着する。【選択図】      図５
0003115791.tif 000002
【実用新案登録請求の範囲】
【請求項１】
上下方向に複数の墓石ブロックを積層し、これらの墓石ブロックの境界に可撓性材料からなる緩衝体を挿着してなる墓石であって、
前記墓石ブロックの境界における上下面の夫々に挿入孔を対向して穿設するとともに、
前記上下面夫々の挿入孔に軟質接着材を充填して接着剤層を形成し、
かつ、上下の前記接着剤層に跨って前記緩衝体を挿着してなることを特徴とする制振墓石。
【請求項２】
前記緩衝体は、メッシュ状の織り生地から円筒形に形成してなることを特徴とする請求項１記載の制振墓石。
【請求項３】
前記緩衝体は、メッシュ状の織り生地から短冊形に形成してなることを特徴とする請求項１記載の制振墓石。
【請求項４】
前記緩衝体は、バイアス織り目を備えてなることを特徴とする請求項１記載の制振墓石。
【考案の詳細な説明】
【技術分野】
【０００１】
この考案は、段積みした墓石を地震等による倒壊から護る制振墓石に関する。詳しくは、段積みした墓石が地震等の振動により上下に分断、倒壊することなく、段積みしたままの墓石状態を維持することを目的として、上下の墓石の間に可撓性材料からなる緩衝体を挿着した制振墓石に関する。
【背景技術】
【０００２】
地震力に対する建造物の構造設計において、従来の耐震工法に加えて、地震力を抑制または制御し、そのエネルギーが建造物に伝わらないようにする制振工法という考え方が導入されるようになった。制振工法とは地震等による振動エネルギーを直接建造物に伝えないようにする工法であり、建造物の基礎と上部構造との間にアイソレータが挿着されるものである。このアイソレータには制振構造体が用いられているが、これは高減衰性ゴム組成物からなる軟質層と金属等からなる硬質層を交互に積層し、構造物を支えるために縦方向には硬く、一方、振動の入力加速度を和らげるため横方向には軟らかい性能を持つようにしたものである。
【０００３】
また、制振工法にはアイソレータの機能に加えてダンパーの機能を必要とする。建造物が地震力を受けた場合、耐震構造だと激しく揺れるが、制振構造では上記したアイソレータによって建物と地盤を絶縁しているため、ゆっくりと動くだけで建造物への影響は少ない。しかし、アイソレータを用いた場合、地震を受けた後もなかなか止まらなかったり、建造物と地盤とのズレが大きくなって、アイソレータの許容変形量を超えたりすることがある。そこで、この変形量を抑えるために減衰力が必要となり、この役目をダンパーがする。一般に制振構造はアイソレータとダンパーの機能を組み合わせにより成り立っている。
【０００４】
アイソレータの要求特性を実現したものがゴム質のアイソレータである。地震等の水平方向の力に対しては非常に柔らかく、かつ大きく変形することができる。一方、ダンパーは地震時に生ずる上部構造と地盤との相対変位を抑制するものであって、一方法として粘性型ダンパーの高粘性材料のせん断抵抗を利用するものが有効である。
【０００５】
ところで、墓石は極めて重い石を積み重ねたものであるから、風雨等で倒壊することはないが、大きな地震では倒壊することがある。特に、複数の墓石ブロックを高く積層した墓石は倒れやすい。さらに、地震の周期が墓石の揺れる周期に共振すると、小さい地震でも倒壊し易くなる。
【０００６】
また、現在の墓石の施工では、複数の墓石ブロックを墓場に運搬し、墓場で積み重ねて構築するので、墓場での工事に手間がかかる。この理由は、墓場に運搬された複数の墓石ブロックを、決められた位置に正確に積層して構築する必要があるからである。墓場で墓石を積層する際は、複数の墓石ブロックの間にモルタルを充填し、墓石ブロックをセメントで結合する。
【０００７】
その他、墓石ブロックを連結する方法として、上下の墓石ブロックに心材を貫通して複数の墓石ブロックを緊締、連結するする方法や、ダボ合わせによって上方の墓石ブロックが水平移動しないようにする方法がある。墓石は全体的に細長く上方へ積み重ねる構造となるが、心材を貫通することによって台風等の強風によって倒壊するのを防止できる効果がある。反面、墓石構造体が剛体連結となり、このような剛体では一旦地震等の衝撃を受けると心材は折損する恐れがあり、ダボ合わせの場合は嵌合部が損傷を受ける。即ち、心材やダボ合わせの工法は耐震設計であるが、制振強度に乏しい。
【０００８】
一方、制振構造体の面から見ると墓石等の重量物の施工に高減衰性物質であるゴム組成物が一般的に使用される。先に、墓石ブロックの間に挿着するためのゴム成分にシリカを配合した高減衰性物質が提案されている（例えば、特許文献１参照）。所謂ゴム組成物にアイソレータとしての機能を持たせたものである。
【０００９】
【特許文献１】特開平６−５７０３６号公報
【考案の開示】
【考案が解決しようとする課題】
【００１０】
以上の通りであって、従来の墓石構造体には、まとめると、次のような問題点がある。
【００１１】
即ち、従来の墓石構造体の問題点の第一は、セメントで墓石ブロックを強固に連結するので、墓石が倒れるのを有効に防止できる。しかしながら、セメントは衝撃に弱いので地震等の振動によって連結部位が離れる。即ち、上下の墓石ブロック同士の縁が切れるという欠点がある。
【００１２】
このようなセメントの弊害を解消するためには、たとえば、石に対する接着強度の優れたエポキシ系の接着剤で接着すればよい。しかしながら、これらの接着剤で接着された墓石ブロックは、衝撃強度が低いために、地震等で接着部分が剥離し易い。
【００１３】
そこで、本考案の制振墓石はこのような従来の抱える問題点を解決するためになされたもので、段積みされた墓石ブロックの境界にダンパー機能を有する緩衝体を挿着し、地震等の振動によって墓石ブロックが倒壊するのを防止できる制振墓石を提供することを目的としている。
【課題を解決するための手段】
【００１４】
そこで、本考案者は柳の木が風による振動に強いことに着目し、これに基づき段積みされた墓石ブロックの間に軟質接着剤を浸み込ませた可撓性材料を挿着する着想へと発展させた。そして、墓石を剛体連結ではなく所謂柔軟連結構造にしたところ上下の墓石ブロックの縁が切れにくいという知見を得た。本考案の制振墓石構造体はかかる知見を基に具現化したもので、請求項１の考案は、上下方向に複数の墓石ブロックを積層し、これらの墓石ブロックの境界に可撓性材料からなる緩衝体を挿着してなる墓石であって、前記墓石ブロックの境界における上下面の夫々に挿入孔を対向して穿設するとともに、前記上下面夫々の挿入孔に軟質接着材を充填して接着剤層を形成し、かつ、上下の前記接着剤層に跨って前記緩衝体を挿着してなるものである。
【００１５】
また、請求項２の考案は、請求項１の考案の上記特徴に加えて、前記緩衝体は、メッシュ状の織り生地から円筒形に形成してなるものである。
【００１６】
また、請求項３の考案は、請求項１の考案の上記特徴に加えて、前記緩衝体は、メッシュ状の織り生地から短冊形に形成してなるものである。
【００１７】
また、請求項４の考案は、請求項１の考案の上記特徴に加えて、前記緩衝体は、バイアス織り目を備えてなるものである。
【００１８】
ここで、本明細書でいう「墓石ブロック」とは、段積みされる各種形状、大きさのブロック石であって、段積み数にもよるが墓石の上から竿石、中台石、大台石、基礎石等から構成され、これらを総称して墓石ブロックと称する。
【考案の効果】
【００１９】
本発明の一体構造の制振墓石は、衝撃によって上下の墓石ブロックが分離することなく、また、地震等の振動により墓石ブロックが倒壊するのを防止できる効果がある。これは、本考案の緩衝体が制振工法のダンパー機能を備えているからである。本考案の一体化構造の制振墓石は、墓石ブロックの境界に可撓性材料からなる緩衝体を挿着し、この緩衝体の周囲に軟質接着剤を充填した接着剤層を形成している。このため、上下の墓石ブロックは緩衝体を介し、しかもこの緩衝体は可撓性を有するので、地震等の振動により墓石ブロックが倒壊するのを防止できる。
【考案を実施するための最良の形態】
【００２０】
本考案の実施の形態を、添付図面に示した本考案の実施例に基づいて以下に具体的に説明する。
【実施例】
【００２１】
先ず、本考案の実施例の第一態様について、図１〜図５を参照しながら説明する。図１は、本考案の実施例に係る一体化構造の制振墓石の正面図である。図２は、同上、図１に示すＡ−Ａ矢視平面図である。図３は、同上、緩衝体の素材となるメッシュ状織り生地を示す模式図である。図４は、同上、メッシュ状織り生地から形成される円筒形緩衝体を示す。図５は、同上、墓石ブロックが地震力によりズレを生じる状態を示す模式図である。
【００２２】
図１に示すように、制振墓石は墓石ブロックの台石２の上に墓石ブロックの竿石１を積層している。これらの台石２と竿石１との境界の両側に緩衝体を挿入するための複数の孔が穿設される。即ち、竿石１側には複数の上部挿入孔３１を上方に向かって適宜深さに穿つ。一方、台石２側には上部挿入孔３１に対応する位置に複数の下部挿入孔４１を下方に向かって適宜深さに穿つ。そして、これらの上部挿入孔３１と下部挿入孔４１とが上下方向に繋がった複数の孔箇所に、境界面を貫通して円筒形緩衝体５１が挿着される。
【００２３】
これら緩衝体の配置状態を図１のＡ−Ａ矢視図として図２に示す。下部挿入孔４１を点対称に５箇所配列したもので、墓石の大きさ等の仕様に応じて如何様にも複数の孔を穿設可能である。各下部挿入孔４１には、円筒形緩衝体５１が挿着される。そして、下部挿入孔４１と円筒形緩衝体５１との間には隙間が形成され、ここに軟質接着剤を充填して接着剤層６を形成する。このため、先ず、上方の竿石１と円筒形緩衝体５１とが可撓性を保ちながら連結される。同様に、台石２の上方の竿石１側にも上部挿入孔３１と円筒形緩衝体５１との間に接着剤層６を形成されて、下方の台石２と円筒形緩衝体５１とが可撓性を保ちながら連結される。このようにして、円筒形緩衝体５１および接着剤層６を介して段積みされた竿石１と台石２とが上下に可撓性を保ちながら連結される。即ち、緩衝体を介して台石に竿石が弾性的に連結される。
【００２４】
ここで、円筒形緩衝体５１は図３に示すようなメッシュ状の織り生地を素材とする。メッシュ状の織り生地は全方向に伸び縮みする可撓性を有する。材質としては、天然あるいは合成繊維、金属製のワイヤ等の線材を用いる。特殊な材質では、カーボン繊維を強化材に用いた繊維強化プラスチックや、カーボン繊維と高強度のケプラー繊維を束ねた強化繊維、ガラス繊維強化樹脂などがある。そして、これを図４に示すように円筒状に巻いたもので、図（ａ）は図３の織り生地の繊維の方向を円筒体の軸方向に一致させたものである。図（ｂ）は織り生地の繊維の方向を円筒体の軸方向とは斜め方向にして巻いたもので、即ちバイアス織り目を備える。これらの緩衝体は、可撓性を有しいずれの方向にも弾性伸びを生じる。なお、メッシュ状の織り生地を円筒状に巻く場合、一重巻きでもよく、墓石の使用によっては幾重に巻いてもよい。いずれの緩衝体とも、軸長方向を墓石の上下方向に合わせて挿着する。
【００２５】
また、接着剤は軟質のものを必須とし、ゴム系の例えば天然ゴムあるいはクロロプレン系、二トリルゴム系、スチレンブタジエンゴム系等の合成ゴムが使用される。他の実施態様についても同様である。
【００２６】
以上のように構成され、次に作用について説明する。
【００２７】
図５には、地震力によって竿石が台石から浮き上がりながら横ズレする状態を誇張して模式的に示したものである。通常は、鉛直方向を保つ緩衝体５を介して竿石１と台石２とが連結している。詳しくは、台石２側において、緩衝体５は鉛直方向を保ちながら、軟質接着剤が充填され下部挿入孔４に形成される接着剤層６に緩衝体５の一方端が固着される。そして、竿石１側において、緩衝体５の他方端は軟質接着剤が充填され上部挿入孔３に形成される接着剤層６に固着されている。即ち緩衝体５は上下の接着剤層６、６に跨って挿着され、接着剤により固着されている。このようにして、緩衝体５を介して台石２に竿石１が弾性的に連結されている。
【００２８】
地震が発生すると、斜め上方向の地震力Ｂによって竿石１が台石２から浮き上がりながら横移動する。二点鎖線で示す竿石１‘は元の位置、実線の竿石１は地震力によりズレを生じた後の位置である。同様に、上部挿入孔３‘は元の位置、上部挿入孔３はズレを生じた後の位置を示す。
【００２９】
竿石１に対し斜め上方向の地震力Ｂが加わると、竿石１は台石２から浮き上りながら元の二点鎖線の位置から実線の位置へと動く。この時、下部挿入孔４に一方端部を固着された緩衝体５は、上部挿入孔３固着された他方端部に引っ張られながら斜め上方向へと弾力性を保って伸びる。
【００３０】
ここで、緩衝体５は可撓性を有する弾性材料である。それに加えて緩衝体５を固着する接着剤も弾力性を有する軟質材料である。地震による振動力Ｂが生じた際、下部挿入孔４に緩衝体５の一方端部は固着されたままで、上述の両材料の弾性特性が相俟って、緩衝体５の他方端部は竿石１に引っ張られながら付随して伸びる。この時、緩衝体５は、上部竿石１と下部の台石２との相対変位を抑制する所謂ダンパーとしての作用をする。即ち、緩衝体５は、これが有するせん断抵抗を利用したダンパーとして制振作用をする効果がある。
【００３１】
図４に円筒形の緩衝体を示し、図（ａ）は織り生地の繊維の方向を円筒体の軸方向に一致させた円筒形緩衝体５１である。図（ｂ）は織り生地の繊維の方向を円筒体の軸方向とは斜め方向に巻いた円筒形緩衝体５１であり、バイアス織り目を有する。図（ｂ）の場合、繊維がバイアス方向の伸び縮みが大きいので、地震力Ｂが斜め上方に加わっても緩衝体のせん断抵抗が大となり、上部竿石１の変位を抑制する効果がある。即ち、地震力によって竿石１が台石２から離れることなく、緩衝体によって弾力性を保持しながら上下連結構造を保つので、墓石の倒壊を防ぐ。なお、上部挿入孔および下部挿入孔の内周面に凸凹を刻むことにより墓石ブロックと軟質接着剤との結合を促進し、その結果緩衝体が墓石ブロックから剥離しなくなる。
【００３２】
上記の実施態様による他、墓石ブロックの間に緩衝体を挿着する別の手段がある。それについて以下に説明する。
【００３３】
本考案の他の実施態様について、図６、図７を参照しながら説明する。図６は、図１のＡ−Ａ矢視相当の平面図である。図７は、同上、メッシュ状織り生地から形成される短冊形緩衝体を示す。
【００３４】
前述した第一の実施態様との主たる相違点は、緩衝体の形状が異なり、断面が矩形の短冊形緩衝体を配置したところにある。以下、第一の実施態様と相違する箇所について主に説明する。
【００３５】
緩衝体の配置状態を図６に示す。下部挿入孔４２を点対称に４箇所配置し、中心に下部挿入孔４３の合計５箇所の挿入孔を配置したものである。緩衝体は図７に示す短冊形緩衝体５２を外方の四箇所に、真ん中には円筒形緩衝体５１を挿着する。いずれの緩衝体とも、長手軸方向を墓石の上下方向に合わせて挿着する。短冊形緩衝体５２の矩形断面に合わせて下部挿入孔４２は角孔あるいは長円孔とする。墓石ブロックの境界において対向する上部挿入孔の形状についても同様である。第一の実施態様と同様、下部挿入孔４２、４３と中の緩衝体との間には接着剤層６が形成され、ここに軟質接着剤を流し込んで台石２に緩衝体が固着される。上方の竿石１側でも同様に上部挿入孔と緩衝体との間には接着剤層６が形成され、竿石１に緩衝体が固着される。このようにして、緩衝体を介して台石に竿石が弾性的に連結される。
【００３６】
緩衝体の形状は図７に示すように、細板状に成形した短冊形緩衝体５２である。織り生地の繊維の方向を短冊形の長手軸方向に一致させてもよく、織り生地の繊維の方向を短冊形の長手軸方向と斜めに、即ちバイアス織り目を有するようにしてもよい。これらの緩衝体は、可撓性を有しいずれの方向にも弾性伸びを生じる。なお、メッシュ状の織り生地の材質は円筒形の場合と同様である。
【００３７】
以上の全ての実施例では、二段積みの墓石に関する緩衝体の挿着構造について説明したが、三、四段等多段積みでも各墓石ブロック間の境界における緩衝体の挿着構造は同様である。また、緩衝体の配置は点対称の他直線状の配列でもよく、墓石の大きさ等の仕様にあわせて適宜の配置、個数を選択すればよい。
【産業上の利用可能性】
【００３８】
本考案の制振墓石の使途は、墓石のように重量のある石碑や、仏像、家具、冷蔵庫等の転倒防止に応用しても勿論よい。
【図面の簡単な説明】
【００３９】
【図１】本考案の実施例に係る一体化構造の制振墓石の正面図である。
【図２】同上、図１に示すＡ−Ａ矢視平面図である。
【図３】同上、緩衝体の素材となるメッシュ状織り生地を示す模式図である。
【図４】同上、メッシュ状織り生地から形成される円筒形緩衝体を示す。
【図５】同上、墓石ブロックが地震力によりズレを生じる状態を示す模式図である。
【図６】同上、他の実施態様に係る図１のＡ−Ａ矢視相当の平面図である。
【図７】同上、メッシュ状織り生地から形成される短冊形緩衝体を示す。
【符号の説明】
【００４０】
Ａ  矢視方向
Ｂ  地震力
１  竿石
１‘  竿石
２  台石
３  上部挿入孔
３‘  上部挿入孔
３１  上部挿入孔
４  下部挿入孔
４１  下部挿入孔
４２  下部挿入孔
４３  下部挿入孔
５  緩衝体
５１  円筒形緩衝体
５２  短冊形緩衝体
６  接着剤層
【図１】
0003115791.tif 000003
【図２】
0003115791.tif 000004
【図３】
0003115791.tif 000005
【図４】
0003115791.tif 000006
【図５】
0003115791.tif 000007
【図６】
0003115791.tif 000008
【図７】
0003115791.tif 000009